(57)【要約】【課題】常時開放型のフックでありながら、フック本体に係止されている紐体のフック本体からの離脱を、ほぼ完全に防止することができるようにする。【解決手段】Ｕ字状に形成されたフック本体２の自由端側に、固定端側に向かって下り勾配で突出する突起４を設ける。フック本体２の固定端側に、突起４とフック本体の固定端側との間の隙間を塞ぐようにして、自由端側に向かって下り勾配で突出する下側突起５を設ける。そして、突起４と下側突起５とにより、シート６の吊下げ用ロープ７がフック本体２から離脱するのを防止する。【選択図】図１
0003117151.tif 000002
【実用新案登録請求の範囲】
【請求項１】
固定端側と自由端側とがＵ字状に連結されたフック本体と；フック本体の固定端側の外面に設けられ、フック本体を船艙等の壁面に固定するための固定板と；フック本体の自由端側から固定端側に向かって突出する紐体返し用の突起と；を具備することを特徴とする返し付きＵ字フック。
【請求項２】
フック本体は、その固定端側から自由端に向かって突出しかつ突起よりも下方に位置する下側突起を有していることを特徴とする請求項１記載の返し付きＵ字フック。
【請求項３】
両突起の水平方向の合計長さは、フック本体の固定端側と自由端側との間の間隔とほぼ一致していることを特徴とする請求項２記載の返し付きＵ字フック。
【請求項４】
突起の突出長さは、下側突起の突出長さよりも長寸法に設定されていることを特徴とする請求項２または３記載の返し付きＵ字フック。
【請求項５】
各突起は、突出先端に向かって下り勾配となっていることを特徴とする請求項１，２，３または４記載の返し付きＵ字フック。
【請求項６】
各突起の下り勾配の角度は、垂直線に対して７０〜７５度に設定されていることを特徴とする請求項１，２，３，４または５記載の返し付きＵ字フック。
【請求項７】
突起の突出先端とフック本体の固定端側との間の間隔および両突起間の上下間隔は、係止される紐体の太さに対して、１．０〜１．５倍の間隔寸法に設定されていることを特徴とする請求項２，３，４，５または６記載の返し付きＵ字フック。
【考案の詳細な説明】
【技術分野】
【０００１】
本考案は、例えば船艙の壁面に沿ってシートを張設するような場合に、シート吊下げ用ロープの中間部を係止して、その弛みを防止するための返し付きＵ字フックに係り、特に常時開放型のフックでありながら、ロープのフックからの離脱をほぼ完全に防止することができる返し付きＵ字フックに関する。
【背景技術】
【０００２】
従来、例えば船艙の壁面に沿ってシートを張設するような場合には、シート吊下げ用ロープを用いてシートを張設するのが通例であるが、ロープの長さが長くなると、その中間部が弛むため、フックに係止してロープの弛みを防止するのが通例である。
【０００３】
この場合、Ｄリンクあるいはアイプレート等の完全閉鎖型のフックを壁面に固定して用いる方法と、カラビナ等の可動片を有するフックを壁面に固定して用いる方法と、Ｃリンク，Ｕ字フック等の常時開放型のフックを壁面に固定して用いる方法とがある。
【非特許文献１】株式会社水本機械製作所のホームページ                        ＵＲＬ：http://www.mizumoto-mm.co.jp
【考案の開示】
【考案が解決しようとする課題】
【０００４】
前記従来の方法のうち、完全閉鎖型のフックを用いる方法の場合には、フックの構造が簡単で、可動部がないため故障のおそれもないと云う利点を有しているが、ロープを予めフックに通しておかなければならないため、シートの張設作業が容易でないとともに、ロープの撤去も容易でないと云う問題がある。
【０００５】
一方、常時開放型のフックを用いる方法の場合には、フックの構造も簡単で、可動部がないので、故障のおそれもなく、またロープを後から係止することができると云う利点を有しているが、常時開放型であるため、シートが風で煽られた場合には、ロープが簡単にフックから外れてしまうと云う致命的な問題がある。
【０００６】
これに対して、可動片を有するフックを用いる方法の場合には、ロープを後から係止することができるとともに、ロープのフックからの取外しも容易であり、しかもシートが風で煽られても、ロープがフックから外れてしまうことがないと云う優れた利点を有しているが、可動片を有しているので構造的に弱く、耐久性に劣るとともに、構造的に複雑になるため、コスト高となると云う問題がある。特に、船艙内においては、他の作業で重機が用いられることが多く、その際に、壁面に固定したフックにも大きな衝撃が加わることがあるため、耐久性に乏しいと云う点は致命的な欠点となる。
【０００７】
本考案は、かかる現況に鑑みなされたもので、アイプレート等と同様に堅牢であるとともに、通常の常時開放型のフックと同様、紐体の係脱が容易であり、しかも完全閉鎖型のフックと同程度に、紐体のフック本体からの離脱を防止することができる返し付きＵ字フックを提供することを目的とする。
【０００８】
本考案の他の目的は、紐体のフック本体からの離脱を、より確実に防止することができる返し付きＵ字フックを提供することにある。
【０００９】
本考案の他の目的は、フック本体の大きさを必要以上に大きくしなくても、紐体の配置空間を充分に確保することができる返し付きＵ字フックを提供することにある。
【００１０】
本考案の他の目的は、紐体のフック本体からの離脱を主として突起で阻止し、もって紐体のフック本体からの離脱を、より有効に防止することができる返し付きＵ字フックを提供することにある。
【００１１】
本考案の他の目的は、フック本体から離脱しようとして突起あるいは下側突起に衝突した紐体を、可及的速やかにフック本体の底部に落下させることができる返し付きＵ字フックを提供することにある。
【００１２】
本考案の他の目的は、フック本体から離脱しようとして、突起あるいは下側突起に衝突した紐体が、突起あるいは下側突起のフック本体への付け根部分に喰い込んで離れなくなると云った不具合を防止することができる返し付きＵ字フックを提供することにある。
【００１３】
本考案のさらに他の目的は、紐体のフック本体への係止が容易で、しかも紐体のフック本体からの離脱を有効に防止することができる返し付きＵ字フックを提供するにある。
【課題を解決するための手段】
【００１４】
前記目的を達成するため本考案は、固定端側と自由端側とがＵ字状に連結されたフック本体と；フック本体の固定端側の外面に設けられ、フック本体を船艙等の壁面に固定するための固定板と；フック本体の自由端側から固定端側に向かって突出する紐体返し用の突起と；を設けるようにしたことを特徴とする。
【００１５】
本考案はまた、フック本体に、その固定端側から自由端に向かって突出しかつ突起よりも下方に位置する下側突起を設けるようにしたことを特徴とする。
【００１６】
本考案はまた、両突起の水平方向の合計長さを、フック本体の固定端側と自由端側との間の間隔とほぼ一致させるようにしたことを特徴とする。
【００１７】
本考案はまた、突起の突出長さを、下側突起の突出長さよりも長寸法に設定するようにしたことを特徴とする。
【００１８】
本考案はまた、各突起を、突出先端に向かって下り勾配となるようにしたことを特徴とする。
【００１９】
本考案はまた、各突起の下り勾配の角度を、垂直線に対して７０〜７５度に設定するようにしたことを特徴とする。
【００２０】
本考案はさらに、突起の突出先端とフック本体の固定端側との間の間隔および両突起間の上下間隔を、係止される紐体の太さに対して、１．０〜１．５倍の間隔寸法に設定するようにしたことを特徴とする。
【考案の効果】
【００２１】
本考案は、固定端側と自由端側とがＵ字状に連結されたフック本体と；フック本体の固定端側の外面に設けられ、フック本体を船艙等の壁面に固定するための固定板と；フック本体の自由端側から固定端側に向かって突出する紐体返し用の突起と；を設けるようにしているので、アイプレート等と同様に堅牢であるとともに、通常の常時開放型のフックと同様、紐体の係脱が容易である。しかも、フック本体に突起を設けるようにしているので、フック本体からの紐体の離脱が、この突起で阻止されるので、完全閉鎖型のフックと同程度に、紐体のフック本体からの離脱を防止することができる。
【００２２】
本考案はまた、フック本体に、その固定端側から自由端に向かって突出しかつ突起よりも下方に位置する下側突起を設けるようにしているので、突起の先端とフック本体の固定端側との間からの紐体の離脱を、下側突起で阻止することができる。このため、紐体のフック本体からの離脱を、より確実に防止することができる。
【００２３】
本考案はまた、両突起の水平方向の合計長さを、フック本体の固定端側と自由端側との間の間隔とほぼ一致しさせるようにしているので、必然的に下側突起の突出長さを短くすることができる。このため、下側突起下方のフック本体内の空間が大きくなり、フック本体の大きさを必要以上に大きくしなくても、紐体の配置空間を確保することができる。しかも、下側突起の突出長さが短くなることで、フック本体から離脱しようとする紐体が、下側突起の上に乗る確率が低くなるとともに、万一乗っても、乗っている時間が短くなり、結果として紐体のフック本体からの離脱を、より確実に防止することができる。
【００２４】
本考案はまた、突起の突出長さを、下側突起の突出長さよりも長寸法に設定するようにしているので、紐体の係脱位置が、フック本体の固定側に寄った位置となる。このため、紐体のフック本体からの離脱を、より有効に防止することができる。
【００２５】
すなわち、紐体のフック本体からの離脱挙動を観察すると、フック本体の固定端側に沿って離脱しようとする回数に比較して、フック本体の自由端側に沿って離脱しようとする回数の方が、圧倒的に多いことが確認されている。このため、紐体の係脱位置を、フック本体の固定端側に寄った位置とすることは、結果として紐体のフック本体からの離脱の可能性を低く抑えることができる。
【００２６】
本考案はまた、各突起を、突出先端に向かって下り勾配となるようにしているので、フック本体から離脱しようとして突起あるいは下側突起に衝突した紐体を、可及的速やかにフック本体の底部に落下させることができる。
【００２７】
本考案はまた、各突起の下り勾配の角度を、垂直線に対して７０〜７５度に設定するようにしているので、フック本体から離脱しようとして、突起あるいは下側突起に衝突した紐体が、突起あるいは下側突起のフック本体への付け根部分に喰い込んで離れなくなると云った不具合を防止することができる。
【００２８】
本考案はさらに、突起の突出先端とフック本体の固定端側との間の間隔および両突起間の上下間隔を、係止される紐体の太さに対して、１．０〜１．５倍の間隔寸法に設定するようにしているので、紐体のフック本体への係止が容易で、しかも紐体のフック本体からの離脱を有効に防止することができる。
【考案を実施するための最良の形態】
【００２９】
以下、本考案を図面を参照して説明する。
図１は、本考案実施の一形態に係る返し付きＵ字フックを示すもので、このＵ字フック１は、固定端側と自由端側とがＵ字フック状に連結されたフック本体２を備えており、このフック本体２には、フック本体２を船艙等の壁面に溶接その他の固定方法で固定するための固定板３、フック本体２の自由端側から固定端側に向かって突出する紐体返し用の突起４、およびフック本体２の固定端側から自由端側に向かって突出する下側突起５がそれぞれ設けられている。そして、このフック本体２を、固定板３を介し船艙等の壁面に固定した後、壁面に沿って張設されるシート６の吊下げ用ロープ７を、前記フック本体２に係止することにより、吊下げ用ロープ７の弛みを防止できるようになっている。
【００３０】
すなわち、前記フック本体２は、図２に示すように、垂直方向に配された直線丸棒状の固定端部２ａと、この固定端部２ａとほぼ平行に配された直線丸棒状の自由端部２ｂと、固定端部２ａの下端と自由端部２ｂの下端とを円弧状に連結する丸棒状の連結底部２ｃとから、全体としてＵ字状に形成されており、前記固定端部２ａの外面には、例えば平板状の固定板３が、溶接等により一体に連結されている。
【００３１】
また、前記自由端部２ｂの上端近傍位置には、図１および図２に示すように、固定端部２ａに向かって下り勾配で突出する突起４が固設されており、この突起４の突出先端部と固定端部２ａとの間の間隔Ｗ１は、前記吊下げ用ロープ７の直径Ｄに対して、１．０Ｄ〜１．５Ｄ，より好ましくは１．２５Ｄに寸法設定されている。そしてこれにより、吊下げ用ロープ７を、フック本体２に簡単に係止でき、しかも一旦係止した吊下げ用ロープ７は、そのフック本体２からの離脱をほぼ完全に防止できるようになっている。すなわち、一旦係止した吊下げ用ロープ７のフック本体２からの離脱防止は、主として突起４で行なうようになっている。
【００３２】
また、前記突起４の下り勾配角度θ１は、図２に示すように、垂直線に対して７０〜７５度，より好ましくは７４度に設定されており、これにより、フック本体２を必要以上に大型化することなく、吊下げ用ロープ７の配置空間Ｇを必要充分な大きさとすることができるようになっている。
【００３３】
すなわち、フック本体２の突起４下方位置に形成される吊下げ用ロープ７の配置空間Ｇは、吊下げ用ロープ７の直径Ｄに対して、ある程度大型で遊びがあった方が、配置空間Ｇ内の吊下げ用ロープ７が、フック本体２から離脱する可能性が低いことが、本考案者等の実験により確認されている。したがって、この点のみを考えると、突起４を下り勾配で突出させるよりは、上り勾配で突出させた方がよいことになる。
【００３４】
一方、吊下げ用ロープ７のフック本体２からの離脱挙動を観察すると、吊下げ用ロープ７は、シート６が風に煽られた際に、フック本体２の自由端部２ｂに沿って上昇し、さらに突起４の下面に沿って移動して、突起４の先端からフック本体２外に離脱する場合が殆どで、フック本体２の固定端部２ａに沿って上昇して、フック本体２から離脱するケースは殆どないことが、本考案者等の実験により確認されている。したがって、この点からすれば、突起４を下り勾配で突出させ、しかもその角度θ１は、可及的小さい方がよいことになる。
【００３５】
しかしながら、突起４の下り勾配角度θ１が小さ過ぎると、吊下げ用ロープ７がフック本体２から離脱しようとして突起４に衝突した際に、突起４のフック本体２への付け根部分に喰い込んで、離れなくなるといった不具合がある。
【００３６】
以上の両点を勘案して、本考案者等が試行錯誤を重ねた結果、突起４の下り勾配角度θ１は、７０〜７５度，より好ましくは７４度程度がよいことが確認されている。
【００３７】
一方、前記下側突起５は、図１および図２に示すように、前記突起４先端とフック本体２の固定端部２ａとの間の隙間を閉止できるように、固定端部２ａから自由端部２ｂに向かって下り勾配で突出配置されており、この下側突起５と前記突起４との間の上下間隔Ｗ２は、前記吊下げ用ロープ７の直径Ｄに対して、１．０Ｄ〜１．５Ｄ，より好ましくは１．２５Ｄに寸法設定されているとともに、下側突起５の水平方向の突出長さは、前記間隔Ｗ１とほぼ一致している。すなわち、両突起４，５の水平方向の合計長さは、フック本体２の固定端部２ａと自由端部２ｂとの間の間隔とほぼ一致している。そしてこれにより、万一吊下げ用ロープ７が、フック本体２の固定端部２ａに沿って上昇して、フック本体２から離脱しようとしても、下側突起５により押し戻され、吊下げ用ロープ７のフック本体２からの離脱を、より完全に防止できるようになっている。
【００３８】
また、前記下側突起５の下り勾配角度θ２は、図２に示すように、垂直線に対して７０〜７５度，より好ましくは７１度に設定されている。この下り勾配角度θ２の値を決定した理由も、前記突起４の下り勾配角度θ１と同様、本考案者等の試行錯誤の結果、前記値が適切であると確認されたからである。
【００３９】
なお、下側突起５の突出長さを必要以上に長くして、突起４とオーバラップさせなかったのは、以下の理由による。
【００４０】
すなわち、下側突起５の突出長さを長くすると、フック本体２底部の配置空間Ｇがその分小さくなり、配置空間Ｇを一定以上の大きさにするためには、フック本体２自体の大きさを大きくしなければならないからである。
【００４１】
また、両突起４，５をオーバラップさせると、突起４の下面に衝突して下方に押し戻された吊下げ用ロープ７が、下側突起５の上面に留まってしまう確率が高くなり、この場合には、むしろ吊下げ用ロープ７がフック本体２から離脱する可能性が高くなるからである。
【００４２】
次に、本実施の形態の作用について説明する。
使用に際しては、先ずＵ字フック１を、船艙等の壁面に固定板３を介して固定する。通常は、溶接により固定する。そしてその後、船艙等の壁面に沿ってシート６を張設する。
【００４３】
ところで、シート６の横方向の長さが長くなると、吊下げ用ロープ７を強い力で引張っても、その中間部が下方に弛んでしまうと云う問題がある。そこで、図１に示すように、吊下げ用ロープ７の中間部をフック本体２に係止する。これにより、吊下げ用ロープ７およびシート６の弛みを防止することができる。
【００４４】
この状態で、シート６が風で煽られると、吊下げ用ロープ７には、これを上方に持ち上げようとする力が作用し、吊下げ用ロープ７がフック本体２内で上昇することになる。そしてその挙動は、前述のように、その殆どが自由端部２ｂに沿った上昇運動となる。
【００４５】
ところが、自由端部２ｂの上端近傍位置には、図１に示すように、突出先端に向かって下り勾配の突起４が設けられているので、フック本体２内を上昇した吊下げ用ロープ７は、突起４の下面に衝突し、風による煽り力が弱まった時点で、フック本体２の底部まで戻されることになる。
【００４６】
しかして、Ｕ字フック１は、常時開放型のフックであるので、吊下げ用ロープ７のフック本体２への係止が極めて容易であるとともに、突起４および下側突起５により、吊下げ用ロープ７のフック本体２からの離脱が阻止されるので、カラビナ等と同程度に、吊下げ用ロープ７のフック本体２からの離脱を防止することができる。しかも、カラビナ等の可動片を有するフックに比較して、吊下げ用ロープ７の取外し作業はさらに容易である。
【００４７】
なお、前記実施の一形態においては、突起４とともに下側突起５も設ける場合について説明したが、前述のように、下側突起５が必要となる回数は極めて少ないので、下側突起５は必要に応じ省略してもよい。
【産業上の利用可能性】
【００４８】
以上のように、本考案に係る返し付きＵ字フックは、例えば船艙の壁面に沿ってシートを張設するような場合に使用するフックとして有用であり、特に紐体のフック本体からの離脱を、ほぼ完全に防止することができる常時開放型のフックとして適している。
【図面の簡単な説明】
【００４９】
【図１】本考案の実施の一形態に係る返し付きＵ字フックの説明図である。
【図２】図１の返し付きＵ字フックの詳細図である。
【符号の説明】
【００５０】
１  Ｕ字フック
２  フック本体
２ａ  固定端部
２ｂ  自由端部
２ｃ  連結底部
３  固定板
４  突起
５  下側突起
６  シート
７  吊下げ用ロープ
Ｄ  直径
Ｇ  配置空間
Ｗ１  間隔
Ｗ２  上下間隔
θ１，θ２  下り勾配角度
【図１】
0003117151.tif 000003
【図２】
0003117151.tif 000004